【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
少なくとも１つの食料品を包む、シールされた包装体において、
少なくとも１つの製品（１）を受け入れる屈曲部分（２０）を備えた包装シート（２）と；
前記少なくとも１つの製品（１）を取り囲む経路に沿って前記包装シート（２）を閉じるように延び、前記屈曲部分（２０）に対応する位置に位置する端部を有するシールライン（３）と；
を備え、
前記包装シートが、前記少なくとも１つの製品（１）の両側で前記屈曲部分（２０）から延びる２つの横方向の分岐部（２１）を有し、前記シールライン（３）が前記横方向の分岐部（２１）を結合するように延び、
前記包装シートが更に、扇形の尾を備えた少なくとも１つの端部分（４）を有する、
ことを特徴とする包装物。
【請求項２】
前記包装シート（２）が熱間シール、冷間シール、溶接材料の有るシール、溶接材料の無いシール、超音波溶接、レーザー溶接及びエンボス加工を含むグループから選択された技術でシールを行うことのできる材料により構成されることを特徴とする請求項１に記載の包装物。
【請求項３】
前記シールライン（３）に対応する位置において、前記包装体が熱間シール、冷間シール、溶接材料の有るシール、溶接材料の無いシール、超音波溶接、レーザー溶接及びエンボス加工を含むグループから選択された作用を受けるシート材料（２）により構成されることを特徴とする請求項１又は２に記載の包装物。
【請求項４】
前記シールライン（３）が尖った先の無い経路に沿って延びることを特徴とする請求項１ないし３のいずれか１に記載の包装物。
【請求項５】
前記シールライン（３）が包装材料（２）の隆起部又は折り目の重なり領域の無い経路に沿って延びることを特徴とする請求項１ないし４のいずれか１に記載の包装物。
【請求項６】
少なくとも前記シールライン（３）に対応する位置において、前記横方向の分岐部（２１）が実質上折り目又は隆起部を有しないことを特徴とする請求項１に記載の包装物。
【請求項７】
前記シールライン（３）がほぼ弓形の経路に従って延びることを特徴とする請求項１ないし６のいずれか１に記載の包装物。
【請求項８】
食料品（１）をシール包装する方法において、
屈曲部分（２０）を備えた包装シート（２）を形成する工程（１２）と；
前記屈曲部内に少なくとも１つの製品（１）を配置する工程と；
前記少なくとも１つの製品（１）を取り囲む経路に沿って前記包装シート（２）を閉じるように延び、前記屈曲部分（２０）に対応する位置に位置する端部を有するシールライン（３）を形成する工程（１８）と；
前記少なくとも１つの食料製品（１）の両側で前記屈曲部分（２０）から延びる２つの横方向の分岐部（２１）を前記包装シートに形成する工程（１２）と；
前記横方向の分岐部（２１）を結合するように前記シールライン（３）を形成する工程（１８）と；を有し、
前記方法は、扇形の尾を備えた少なくとも１つの端部分（４）を前記包装体に形成する工程（２０）と；
を有することを特徴とする方法。
【請求項９】
熱間シール、冷間シール、溶接材料の有るシール、溶接材料の無いシール、超音波溶接、レーザー溶接及びエンボス加工を含むグループから選択された技術によるシールを行なうことのできる材料で前記包装シート（２）を作る工程を有することを特徴とする請求項８に記載の方法。
【請求項１０】
熱間シール、冷間シール、溶接材料の有るシール、溶接材料の無いシール、超音波溶接、レーザー溶接及びエンボス加工を含むグループから選択された処理により前記シールライン（３）を作る工程を有することを特徴とする請求項８又は９に記載の方法。
【請求項１１】
尖った先の無い経路に沿って前記シールライン（３）を形成する工程を有することを特徴とする請求項８ないし１０のいずれか１に記載の方法。
【請求項１２】
包装材料（２）の隆起部又は折り目の重なり領域の無い経路に沿って前記シールライン（３）を形成する工程（１８）を有することを特徴とする請求項８ないし１１のいずれか１に記載の方法。
【請求項１３】
少なくとも前記シールライン（３）に対応する位置において実質上折り目又は隆起部の無い状態に前記横方向の分岐部（３１）を維持させる工程を有することを特徴とする請求項８に記載の方法。
【請求項１４】
ほぼ弓形の経路に従って前記シールライン（３）を形成する工程（１８）を有することを特徴とする請求項８ないし１３のいずれか１に記載の方法。
【請求項１５】
食料品（１）をシール包装する設備において、
屈曲部分（２０）を備えた包装シート（２）を形成する形成装置（１２）と；
前記屈曲部分内に少なくとも１つの食料製品（１）を配置する装填ステーション（１６）と；
前記少なくとも１つの食料製品（１）を取り囲む経路に沿って前記包装シート（２）を閉じるように延び、前記屈曲部分（２０）に対応する位置に位置する端部を有するシールライン（３）を形成するように構成されているシールステーション（１８）と；
を備え、
前記形成装置（１２）が、前記包装シートに、前記屈曲部（２０）から前記少なくとも１つの食品製品（１）の両側で延びる２つの横方向の分岐部（２１）を形成するように構成され、前記シールステーション（１８）が、前記横方向の分岐部（２１）を結合するように前記シールライン（３）を形成するように構成され、
前記設備は、扇形の尾を備えた少なくとも１つの端部分（４）を前記包装体に形成するシェーピングステーション（２０）を有する、
ことを特徴とする設備。
【請求項１６】
前記シールステーション（１８）が、熱間シール、冷間シール、溶接材料の有るシール、溶接材料の無いシール、超音波溶接、レーザー溶接及びエンボス加工を含むグループから選択された技術に従って作動するステーションであることを特徴とする請求項１５に記載の設備。
【請求項１７】
前記シールステーション（１８）が、尖った先の無い経路に沿って前記シールライン（３）を形成するように構成されていることを特徴とする請求項１５又は１６に記載の設備。
【請求項１８】
前記シールステーション（１８）が、包装材料（２）の隆起部又は折り目の重なり領域の無い経路に沿って前記シールライン（３）を形成するように構成されていることを特徴とする請求項１５ないし１７のいずれかに記載の設備。
【請求項１９】
前記シールステーション（１８）が、少なくとも前記シールライン（３）に対応する位置において実質上折り目又は隆起部の無い状態に前記横方向の分岐部（３１）を維持させるように構成されていることを特徴とする請求項１５ないし１８のいずれか１に記載の設備。
【請求項２０】
前記シールステーション（１８）が、ほぼ弓形の経路に従って前記シールライン（３）を形成するように構成されていることを特徴とする請求項１５ないし１９のいずれか１に記載の設備。
【手続補正２】
【補正対象書類名】明細書
【補正対象項目名】０００９
【補正方法】変更
【補正の内容】
【０００９】
外部環境に関して優れた度合いのシールを得ることができるようにする解決策は文献ＥＰ−Ａ−０５９１７４２号及びＥＰ−Ａ−０７９０１８４号各明細書に記載されている。しかし、両者の場合、それらは、２つのシート材料素子からなる包装体が使用される解決策である。
さらに具体的に言えば、その発明は請求項１の前段による包装体に関連があり、例えばＵＳ−Ａ−２００２／０１８４８５７の構成として公知である。いくぶんか似たアレンジは、ＷＯ−Ａ−０３／０３５４７９から公知であるし、ＵＳ−Ａ−５７２２２１５からもある程度公知である。
【手続補正３】
【補正対象書類名】明細書
【補正対象項目名】００１１
【補正方法】変更
【補正の内容】
【００１１】
本発明によれば、上述の目的は、上述の請求項１で言及されたさらなる特徴を有する包装体により達成される。本発明は、請求項９及び請求項１７それぞれで言及される対応する製造方法及び対応する設備にも関する。
【手続補正４】
【補正対象書類名】明細書
【補正対象項目名】００３７
【補正方法】変更
【補正の内容】
【００３７】
更なる仕上げ作業として、図４に示す包装体は、全体として甘菓子のための包装体の典型的な外観をその包装体に与えるように、１又は２つの扇形の尾をした捩った部分４を形成することにより完成される。この結果は、包装体の長手方向端部（片側又は両方）を捩ることにより又は扇形のひねり得る目的での他の方法に頼ることにより（既知の方法で）得ることができる。
【手続補正５】
【補正対象書類名】明細書
【補正対象項目名】００３８
【補正方法】変更
【補正の内容】
【００３８】
扇形の尾をした捩った部分を形成することはシールライン３のシールの特徴に悪影響を及ぼさないことを認識されたい。事実、これは、シート包装材料２の２つの横方向の分岐部２１の実質的な平面性の状態を保ったまま、これらの分岐部を結合することにより得られる。
【手続補正６】
【補正対象書類名】明細書
【補正対象項目名】００５４
【補正方法】削除
【補正の内容】